(57)【要約】【課題】  従来の金属製又はプラスチック製のリング状綴じ具と略同等形態，機能を具備した100％紙製といえるリング状綴じ具とその製造方法を提供すること。【解決手段】  対向面となる側に接着剤２を付けた一枚の紙１を２つ折りして接着し、接着剤２の固化前にほぼ櫛歯状をなすようにカットして筒状に丸めることにより、丸めた二重の紙の内面と外面の周長差Ｆと接着剤２の固化によって前記櫛歯状部分５を弾性を持つリング状に形成したこと。【選択図】図４
2005053148.tif 000002
【特許請求の範囲】
【請求項１】
対向面となる側に接着剤を付けた一枚の紙を２つ折りして接着し、接着剤の固化前にほぼ櫛歯状をなすようにカットして筒状に丸めることにより、丸めた二重の紙の内面と外面の周長差と接着剤の固化によって前記櫛歯状部分を弾性を持つリング状に形成したことを特徴とするリング状紙製綴じ具。
【請求項２】
２つ折りした紙の折り目に芯となる紙材，紙紐を挟持させた請求項１のリング状紙製綴じ具。
【請求項３】
２つ折りした紙の折り目には、折り目に沿って断面凹又は凸の筋を付けた請求項１のリング状紙製綴じ具。
【請求項４】
接着剤の塗布面に粗い織目の帛布或は不織布などを積層した請求項１〜３のいずれかのリング状紙製綴じ具。
【請求項５】
２つ折りした紙の外面に、薄い帛布，不織布，フィルム体などを積層した請求項１〜４のいずれかのリング状紙製綴じ具。
【請求項６】
紙製綴じ具の外面には、適宜内容の印刷を施した請求項１〜４のいずれかのリング状紙製綴じ具。
【請求項７】
対向面に接着剤を付けた紙を２つ折りして接着し、前記接着剤が固化する前に前記の２つ折りして二重に接着されている紙を略櫛歯状をなすようにカットしてから筒状をなすように丸め、この状態で乾燥させて前記筒状形状を固定することを特徴とするリング状紙製綴じ具の製造方法。
【請求項８】
２つ折りした紙の折り目に芯となる紙材，紙紐を挟持させる請求項７のリング状紙製綴じ具の製造方法。
【請求項９】
２つ折りした紙の折り目に沿って断面凹状又は凸状の補強用筋を付ける請求項７のリング状紙製綴じ具の製造方法。
【請求項１０】
接着剤の塗布面に粗い織目の帛布或は不織布などを積層する請求項４又は５のリング状紙製綴じ具の製造方法。
【請求項１１】
２つ折りした紙の外面には、化粧用の薄帛布などを積層するか又は印刷を施す請求項７〜10のいずれかのリング状紙製綴じ具。
【請求項１２】
接着剤には植物性の糊又は動物性の膠を用いる請求項７〜11のいずれかのリング状紙製綴じ具の製造方法。
【発明の詳細な説明】
【技術分野】
【０００１】
本発明は紙製のリング状綴じ具とその製法に関する。
【背景技術】
【０００２】
従来よりノートやカレンダー或は書籍の綴じ方として、開放されたリング状の綴じ具を使用した綴じ形態が公知である。このリング状綴じ具は、金属又はプラスチックによって形成されており、表紙を含む複数の枚葉紙の綴じ代部位に設けられた複数の綴じ穴に、リング部をその開放部分から前記枚葉紙の穴に通すことによりその枚葉紙を綴じるように用いられているが、問題もある。
【０００３】
即ち、近年の環境保全問題に端を発して、使用済み製品や物品などの廃棄処理においては、使用済み製品や不用製品のリサイクル性を良好にしようとする機運が高まり、この観点からノートやカレンダーなどの紙製品には、金属やプラスチックなどの異質の材料はできるだけ混用しないという点である。
【０００４】
ノートやカレンダーの綴じ具から金属製やプラスチック製のものの使用を排除しようとすると、従来の金属製又はプラスチック製のリング状綴じ具は使用できなくなるため、これに代わる綴じ具や綴じ形態を開発する必要が生じる。
【０００５】
このような観点から、例えばカレンダー用の金属製綴じ具を全く使用しないカレンダーの綴じ技術が特許第３２４３１５２号などとして提案されているが、金属製又はプラスチック製のリング状綴じ具についての代替案は未だ見当らない。
【発明の開示】
【発明が解決しようとする課題】
【０００６】
そこで本発明では、従来の金属製又はプラスチック製のリング状綴じ具と略同等形態，機能を具備した100％紙製といえるリング状綴じ具とその製造方法を提供することを、その課題とするものである。
【課題を解決するための手段】
【０００７】
上記課題を解決することを目的としてなされた本発明綴じ具の製造方法の構成は、対向面に接着剤を付けた紙を２つ折りして接着し、前記接着剤が固化する前に前記の２つ折りして二重に接着されている紙を略櫛歯状をなすようにカットしてから筒状をなすように丸め、この状態で乾燥させて前記筒状形状を固定することを主な特徴とするものである。
【０００８】
上記製法により形成される本発明綴じ具の構成は、対向面となる側に接着剤を付けた一枚の紙を２つ折りして接着し、接着剤の固化前にほぼ櫛歯状をなすようにカットして筒状に丸めることにより、丸めた二重の紙の内面と外面の周長差と接着剤の固化によって前記櫛歯状部分を弾性を持つリング状に形成したことを主な特徴とするものである。
【０００９】
本発明綴じ具では、一枚の紙を２つ折りするとき、その折り目の内側に芯となる紙紐などを挟持させた構成を採ることがある。本発明綴じ具では、前記芯に代え、或は、その芯と併用して折り目に沿って補強部となる凹状又は凸状の筋を入れてもよい。
【００１０】
次に、本発明綴じ具では、接着剤の塗布面に粗い織目の帛布或は不織布や薄い和紙などを積層した構造とすることもある。また、本発明では、リング状綴じ具の外面に、化粧乃至補強の趣旨で、薄い帛布，不織布、或は、天然素材によるフィルムや薄い和紙などを貼着積層することがある。この場合の帛布、不織布などは天然素材により製されたものが好ましい。加えて、本発明綴じ具では、前記帛布などの外面、或は、２つ折りした紙の外面に、適宜の印刷（色彩，模様，文字など）を施すこともできる。
【００１１】
更に、本発明では、紙に塗布する接着剤を植物系の糊、動物系の膠を用いれば、綴じ具本体と使用した接着剤まですべて天然材質であるから、リサイクル性あるいは環境保全の面からも望ましい。
【発明の効果】
【００１２】
本発明は、ノートやカレンダーなどの枚葉紙の綴じ具を紙と天然材質の接着剤により形成したので、用済後のノートやカレンダーなどを、構成部材を分別することなく、一括して処理に回すことができる。
【発明を実施するための最良の形態】
【００１３】
本発明綴じ具について、図を参照しつつその実施の形態例について説明する。図１は本発明リング状綴じ具を形成する比較的厚手の紙の斜視図、図２は図１の紙を２つ折りして接着した状態の斜視図、図３は図２の２つ折りの紙を略櫛歯状にカットした状態の斜視図、図４は図３の略櫛歯状の紙を筒状に丸めて固めた本発明綴じ具に形成した斜視図、図５は図４のＡ−Ａ矢視拡大断面（端面）図である。
【００１４】
図に示した本発明綴じ具の一例は、幅が４〜６cm、長さが５〜７cm程度の長方形の比較的厚手の紙１によって形成される。即ち、図１の紙１を、その長さ方向において２つ折りするため、２つ折りして対向面となる面1a，1b少なくとも一方に、図１では面1aに、望ましくは膠や糊などによる接着剤２を塗布する。なお、本発明の接着剤は糊や膠に限られるものではない。
【００１５】
接着剤２を塗布した紙１は、接着剤２の塗布面を内側（内面）にして中間部の折り目３において２つ折りし、図２の状態にする。図２の２つ折り状態で接着剤２が固化する前に、プレス刃などにより２つ折り紙１の折り目３がない側に開放された溝４を等ピッチで形成すると共に、櫛歯状に歯部５を残して全体を略櫛歯状に形成する（図３参照）。
【００１６】
櫛歯状に形成された図３の２つ折り紙１は、図３の接着剤未固化の状態でこの紙１の上面側1fを外側にして円筒状をなすように丸める。丸め方は、一例として丸い断面の芯棒（図示せず）に図３の紙１を巻付けることにより行い、この状態で接着剤２をドライヤーなどにより強制的に乾燥する。なお、紙１の丸め方は、上記の芯棒使用の形態に限られるものではない。
【００１７】
ここで、図３の紙１を丸めたとき、２つ折りされた紙１は未だ接着剤２が未固化状態であるから、紙１の厚さによって円筒状成形時に前記筒状の内外面で生じる周長差により、内側（図３での下側1u）の紙１の先端と外側（図３での上側1f）の紙１の先端にずれＦが発生する。このずれＦが生じた状態で上記接着剤２が強制乾燥によって固化されるから、図４，図５に示すように、丸めた２つ折りの紙１は元に戻ることなくその状態が固化されてしまう。
【００１８】
上記２つ折り紙１の丸め成形と接着剤２の固化作用により、図５の形態に成形固定された本発明綴じ具における各歯部５は、あたかもプラスチック製や金属製のリングと同様の十分なスプリング性（弾性）を発現して、リング状綴じ具として利用できるのである。
【００１９】
本発明では、使用する紙の厚さや大きさを選択することにより、歯部５の長さ（リングの径）や歯部５（リング）の本数を任意に設定した紙製のリング状綴じ具を形成することが出来る。
【００２０】
本発明ではまた、図１の紙１の２つ折り接着面に、図示しないが目の粗い天然素材の帛布や不織布を積層することにより、使用する紙１が薄いものであっても十分な強度やスプリング性を発現させ、更にはそれらの性能を高めることができる。厚目の紙を使用したものではそれらの性能が一段と強化される。
【００２１】
更に、２つ折りする図１の紙１における折り目３に沿って、当該折り目３の内部に例えば紙紐を芯として入れると、これが本発明綴じ具の長さ方向での支骨となって、強度を高めることができる。この趣旨で、本発明では２つ折りした紙１の折り目３に沿って断面が凹状又は凸状をなす筋を入れると、これがまた補強筋として作用するので、前記筋を紙紐芯と併用して、或は、単独で適用することができる。また、本発明では丸めた各歯部５が接着剤で固められて開きにくくなる場合に対応するため、図４，図５に仮想線で示すように、リングの開きを助けるための凹型６（又は凸型）を付けることもある。
【００２２】
本発明では、綴じ具の強度を上げる、或は、外観上の体裁を良好にするため、２つ折りした紙１の外面少なくとも（図３の上面1f）に、帛布などを積層して強度を高めるとともに、綴じ具の質感を所望の材質に見せたり、着色，模様，文字などの印刷により装飾を施すことがある。
【産業上の利用可能性】
【００２３】
本発明は以上の通りであって、紙と接着剤のみによってプラスチックや金属製のリング状綴じ具と同等の機能，性能を持つ紙製リング状綴じ具を提供できるので、この綴じ具をノートやカレンダーなどのように多数の枚葉紙を綴じる手段に用いると、用済み後にノード本体やカレンダー本体などと分別することなくそのまま処分できるという利点が得られる。
【００２４】
また、本発明綴じ具は、紙と接着剤だけあれば作製できるので、プラスチック製や金属製の綴じ具に比べて材料コスト面でも有利であり、また、製造用の加工機も、簡易な機構のもので足りるから、材料コストや設備の面でも、有利である。
【図面の簡単な説明】
【００２５】
【図１】本発明リング状綴じ具を形成する比較的厚手の紙の斜視図。
【図２】図１の紙を２つ折りして接着した状態の斜視図。
【図３】図２の２つ折りの紙を略櫛歯状にカットした状態の斜視図。
【図４】図３の略櫛歯状の紙を筒状に丸めて固めた本発明綴じ具に形成した斜視図。
【図５】図４のＡ−Ａ矢視拡大断面（端面）図。
【符号の説明】
【００２６】
１    塗布した紙
２    接着剤
３    折り目
４    溝
５    歯部
６    リングの開きを助けるための凹型
【図１】
2005053148.tif 000003
【図２】
2005053148.tif 000004
【図３】
2005053148.tif 000005
【図４】
2005053148.tif 000006
【図５】
2005053148.tif 000007